(57)【要約】【課題】掌からの細菌等がポンプに付着するのを防止し、あるいはポンプに付着している細菌等が掌へ付着するのを防止することができる肘押しポンプを提供する。【解決手段】手押し式ポンプ４と容器６とを有するディスペンサー容器２と、このディスペンサー容器２に固定可能な固定部１４と、肘により押下可能な肘押し部４８とを有する肘押し式補助具とを備える肘押しポンプである。肘押し部４８が押し下げられると手押し式ポンプ４の頭部８が押し下げられて容器６内の液体が吐出される。【選択図】図２
0003106369.tif 000002
【実用新案登録請求の範囲】
【請求項１】
手押し式ポンプと容器とを有するディスペンサー容器と、
前記ディスペンサー容器に固定可能な固定部と肘により押し下げ可能なように前記固定部に取り付けられた肘押し部とを有する肘押し式補助具と、
を備え、肘押し部が押し下げられると手押し式ポンプの頭部が押し下げられて容器内の液体が吐出される肘押しポンプ。
【請求項２】
請求項１記載の肘押し式ポンプにおいて、さらに肘押しアームが前記固定部に回動可能に設けられ、前記肘押し部は該肘押しアームの先端に設けられている肘押しポンプ。
【請求項３】
請求項１または２記載の肘押しポンプにおいて、前記容器内には消毒液が収容されている肘押しポンプ。
【請求項４】
請求項１〜３のいずれか１項に記載の肘押しポンプにおいて、さらに、前記容器を支持するベース部を備える肘押しポンプ。
【請求項５】
請求項４記載の肘押しポンプにおいて、さらに、前記ベース部に固定可能なトレイ部を備える肘押しポンプ。
【請求項６】
請求項１〜３のいずれか１項に記載の肘押しポンプにおいて、さらに、前記肘押し補助具を支持する壁取付けプレートと、該壁取付けプレートを壁面に固定可能な固定手段とを備える肘押しポンプ。
【請求項７】
請求項６記載の肘押しポンプにおいて、さらに、前記容器に取付け可能なトレイ部を備える肘押しポンプ。
【請求項８】
請求項１〜７のいずれか１項に記載の肘押しポンプにおいて、前記肘押し部はリング形状である肘押しポンプ。
【請求項９】
手押し式ポンプと容器とを有するディスペンサー容器に固定可能な固定部と、肘により押し下げ可能なように前記固定部に取り付けられた肘押し部とを備え、肘押し部が押し下げられると手押し式ポンプの頭部が押し下げられて容器内の液体が吐出される、肘押し式補助具。
【考案の詳細な説明】
【技術分野】
【０００１】
本考案は肘押しポンプおよび肘押し式補助具に関する。
【背景技術】
【０００２】
病院において患者と接する医師、看護士等の医療従事者は、院内感染を防ぐため消毒液で手を消毒している。
通常、消毒液の容器には小型の手押し式ポンプが設けられている。この手押し式ポンプは上下動可能な頭部を備え、その頭部を一方の掌で押し下げて消毒液を吐出させる。吐出された消毒液は他方の掌で受け止められる。
【考案の開示】
【考案が解決しようとする課題】
【０００３】
このような手押し式ポンプにおいては、その頭部を一方の掌で押し下げる際、掌に付着していた細菌等が手押し式ポンプの頭部に付着してしまい、次に手押し式ポンプを使用する者の掌に付着するという問題点があった。
【０００４】
したがって本考案の目的は、掌からの細菌等がポンプに付着するのを防止し、あるいはポンプに付着している細菌等が掌へ付着するのを防止することができる肘押しポンプおよび肘押し式補助具を提供することである。
【課題を解決するための手段】
【０００５】
上記目的を達成するために本考案によれば、手押し式ポンプと容器とを有するディスペンサー容器と、このディスペンサー容器に固定可能な固定部と肘により押し下げ可能なように前記固定部に取り付けられた肘押し部とを有する肘押し式補助具とを備え、肘押し部が押し下げられるとディスペンサーの頭部が押し下げられて容器内の液体が吐出される肘押しポンプが提供される。
【０００６】
好ましくは前記固定部に回動可能に肘押しアームが設けられ、前記肘押し部は該肘押しアームの先端に設けられている。
例えば前記容器内には消毒液が収容されている。
また、前記容器を支持するベース部を備えることが好ましい。この場合さらに、前記ベース部に固定可能なトレイ部を備えることが好ましい。
【０００７】
また、前記肘押し補助具を支持する壁取付けプレートと、該壁取付けプレートを壁面に固定可能な固定手段とを備えることが好ましい。この場合さらに、前記容器に取付け可能なトレイ部を備えることが好ましい。
さらに、前記肘押し部はリング形状であることが望ましい。
【０００８】
さらに本考案によれば、手押し式ポンプと容器とを有するディスペンサー容器に固定可能な固定部と肘により押し下げ可能なように前記固定部に取り付けられた肘押し部とを備え、肘押し部が押し下げられると手押し式ポンプの頭部が押し下げられて容器内の液体が吐出される、肘押し式補助具が提供される。
【考案の効果】
【０００９】
請求項１記載の肘押しポンプおよび請求項１０記載の肘押し式補助具によれば、肘により肘押し部が押し下げられると手押し式ポンプの頭部が押し下げられて容器内の液体が吐出されるので、掌からの細菌等がポンプに付着するのを防止し、あるいはポンプに付着している細菌等が掌へ付着するのを防止することができる。
【００１０】
請求項７記載の態様によれば、肘押し補助具を支持する壁取付けプレートと、該取付けプレートを壁面に固定可能な固定手段とを備える構成としたので、省スペース化を図ることができる。すなわち、従来は薬液を収容された容器をテーブル上に置いていたが、本考案によればディスペンサー容器に固定される肘押し補助具が壁面に固定されるので、容器が吊り下げられることとなり、テーブル上に空きスペースがない場合やテーブルがない場所でも本考案による肘押しポンプを設置することができる。
請求項９記載の態様によれば、肘押し部をリング形状としたので、ノズル先端と掌が見やすく操作しやすい。
【実施例】
【００１１】
以下において、本考案の実施例を図面を参照して説明する。
図１はディスペンサー容器を示す。ディスペンサー容器２は手押し式ポンプ４と容器６とから構成される。容器６の上端近くには鍔部７が形成されている。容器６内には消毒液が収容されている。手押し式ポンプ４は頭部８と該頭部８に取りつけられたノズル１０を備え、頭部８を掌で押し下げるとノズル１０先端から一定量の消毒液が吐出される。頭部８から掌を離すと頭部８は図示しない弾性手段により上昇し、元の位置に戻る。
【００１２】
図２は本考案による肘押しポンプを示す左側面図である。肘押しポンプはディスペンサー容器２と肘押し式補助具１２を備える。肘押し式補助具１２は、二股状胴部１４（固定部）と、二股状胴部をディスペンサー容器２に固定するための締付部１６と、肘により押し下げ可能なリング形状の肘押し部４８とを備えている。後述するように、肘押し部４８が押し下げられると手押し式ポンプ４の頭部８が押し下げられてノズル１０先端から容器６内の液体が吐出される。肘押し部４８をリング形状としたので、ノズル先端と消毒部（手指）が見やすく操作しやすい。
【００１３】
図３〜図９は肘押し式補助具を示し、図３は正面図、図４は左側面図、図５は右側面図、図６は図４に対応する中央断面図、図７は背面図、図８は平面図、図９は一部を省略して示した図８に対応する断面図である。
【００１４】
肘押し式補助具１２の二股状胴部１４は支点１８を有し、この支点１８の周りに回動可能な肘押しアーム２０が設けられている。この肘押しアーム２０の先端に前述の肘押し部４８が設けられている。
【００１５】
締付部１６は第１アーム２２、第２アーム２４、第３アーム２６を備える。第１アーム２２の一端は二股状胴部１４に設けられた軸２８に回転可能に取り付けられ、その他端は第２アーム２４の一端に回転可能に取り付けられ、第２アームの他端には第３アーム２６の一端が回転可能に取り付けられている。第３アーム２６の他端にはコの字状のフック３０が固定されている。二股状胴部１４にはこのフック３０と係合可能な係合溝３２が形成されている。第３アーム２６にはフック３０を係合溝３２に係合させた状態で二股状胴部１４側に突出する当接部３４が設けられている。この当接部３４は好ましくは弾性部材で構成される。
【００１６】
二股状胴部１４には３個のリブ３６、３８、４０が設けられている。また、二股状胴部１４の上端には凹部４２とその上下の凸部４４、４６が形成されている（図６）。
【００１７】
肘押しアーム２０のほぼ中央部には図６の時計方向に突出する突起部５０が設けられている。また、肘押しアーム２０の両側面には舌部５２、５２が設けられ、この舌部５２、５２のそれぞれに小さな突起５４、５４が設けられている。両舌部５２、５２の間隔は二股状固定部１４の二股部の間隔ｄ（図８）より若干小さくされ、両突起５４、５４の先端間の間隔は間隔ｄより若干大きくされている。したがって、肘押しアーム２０は、両突起５４、５４が二股状胴部１４の上端の凸部４４の上端部と接触した状態で静止することができ、この状態から肘押し部４８を少しの力で押すと舌部５２、５２の弾性変形により両突起５４、５４が凸部４４を乗り越えて凹部４２内に入り込み、凸部４６の上端部と軽く接触した状態で肘押しアーム２０は静止することができる。さらに肘押し部４８を押すと両突起５４、５４は凸部４６を超えて更に下方へ移動することができる。
【００１８】
次に肘押し式補助具１２をディスペンサー容器２に装着し、固定する方法を説明する。
まず、肘押しアーム２０を回動して両突起５４、５４を凹部４２内に入り込ませ、凸部４６の上端部と接触した状態で静止させる。次に締付部１６が閉じた状態であれば第２アーム２４の一端を手前に引いた後、フック３０を外して締付部１６を開く。なお、図３〜図９は締付部１６が開いた状態を示している。
【００１９】
次に容器６の鍔部７を二股状胴部１４の最下段のリブ４０にのせるようにして容器６を装着する。そして締付部１６のフック３０を二股状胴部１４の係合溝３２と係合させ、第２アーム２４の一端を後方に押して締付部１６を閉じる。このとき、締付部１６の当接部３４が容器６の鍔部７の下方部分と当接し、これにより、肘押し式補助具１２がディスペンサー容器２に堅固に装着固定される。最後に肘押しアーム２０の肘押し部４８を軽く下方に押すと両突起５４、５４が凸部４６を乗り越えて下方に移動し、肘押しアーム２０の突起部５０が容器６の頭部８と接触した状態で停止する。図２、図１０および図１１は肘押し式補助具１２をディスペンサー容器２に装着固定した状態を示す。
【００２０】
次に本考案による肘押しポンプの設置方法を説明する。
図１２および図１３は肘押し式補助具１２およびディスペンサー容器２をテーブル（図示せず）上に設置する場合に用いることができるベースユニット６０を示す。ベースユニット６０はベース部６１およびミニトレイ（トレイ部）６２を備える。ベース部６１とミニトレイ６２は係合部６４で係合して固定可能とされている。ベース部６１には容器６を支持可能な凹部６６が設けられている。
【００２１】
図１４〜図１７は肘押し式補助具１２およびディスペンサー容器２を壁面に設置する場合の説明図である。
図１４は、容器６の下端部近くに取付けるマイクロトレイ７０を示す斜視図である。マイクロトレイ７０はトレイ部７２、バンド部７４およびロックピース７６から構成される。ほぼ環状のバンド部７４は一部を切断されて両端部７４ａ、７４ｂを有し、ロックピース７６はこの両端部７４ａ、７４ｂと係合可能とされている。容器６の下端部近くにバンド部７４を位置させ、バンド部７４の両端部７４ａおよび７４ｂをロックピース７６と係合させると、マイクロトレイ７０は容器６に固定される。
【００２２】
図１５は壁取付けプレート８０を示し、この壁取付けプレート８０は容器ガイド８２と係合部８４を備え、ネジ（固定手段）８６により壁に取り付けられる。図１６に示すように肘押し式補助具１２の後部には係合溝８８が設けられていて、この係合溝８８は壁取付けプレート８０の係合部８４と係合する。図１７は壁面（図示せず）に取付けられた肘押し式補助具１２およびディスペンサー容器２を示す斜視図である。従来のようにテーブル上に容器６を置く方式と異なり、壁に容器６を吊り下げる方式となるので、省スペース化を図ることができると共に、壁がある場所であればナースセンターや洗面所等の狭小スペースでも邪魔にならず設置可能である。
【００２３】
次に本考案による肘押しポンプの使用方法を説明すると、肘押し式補助具１２とディスペンサー容器２を図１２のベースユニット６０に取付けてテーブル（図示せず）の上に置いた状態あるいは図１７のように肘押し式補助具１２およびディスペンサー容器２を壁(図示せず)に取付けた状態で、肘により肘押しアーム２０の肘押し部４８を下方に押し下げると突起部５０と当接している手押し式ポンプ４の頭部８も押し下げられて容器６内の消毒液が一定量吐出される。肘を肘押し部４８から離すと頭部８は元の位置に戻り、肘押しアーム２０および肘押し部４８も元の位置に戻る。
【図面の簡単な説明】
【００２４】
【図１】ディスペンサー容器の側面図。
【図２】肘押しポンプを示す左側面図。
【図３】肘押し式補助具の正面図。
【図４】肘押し式補助具の左側面図。
【図５】肘押し式補助具の右側面図。
【図６】図４の中央断面図。
【図７】肘押し式補助具の背面図。
【図８】肘押し式補助具の平面図。
【図９】肘押しアームを省略して示した図８に対応する断面図。
【図１０】肘押しポンプを示す正面図。
【図１１】肘押しポンプを示す右側面図。
【図１２】肘押しポンプをテーブル上に設置する場合に用いることができるベースユニットを示す平面図。
【図１３】図１２のＡ−Ａ線に沿う断面図。
【図１４】容器の下端部近くに取付けるマイクロトレイを示す斜視図。
【図１５】壁取付けプレートを示す斜視図。
【図１６】肘押し式補助具および壁取付けプレートを示す斜視図。
【図１７】壁面に取りつけられる肘押しポンプを示す斜視図。
【符号の説明】
【００２５】
２  ディスペンサー容器
４  手押し式ポンプ
６  容器
８  頭部
１２  肘押し式補助具
１４  二股状胴部（固定部）
１６  締付部
２０  肘押しアーム
４８  肘押し部
６１  ベース部
６２  ミニトレイ(トレイ部)
７２  トレイ部
８０  壁取付けプレート
８６  ネジ（固定手段）
【図１】
0003106369.tif 000003
【図２】
0003106369.tif 000004
【図３】
0003106369.tif 000005
【図４】
0003106369.tif 000006
【図５】
0003106369.tif 000007
【図６】
0003106369.tif 000008
【図７】
0003106369.tif 000009
【図８】
0003106369.tif 000010
【図９】
0003106369.tif 000011
【図１０】
0003106369.tif 000012
【図１１】
0003106369.tif 000013
【図１２】
0003106369.tif 000014
【図１３】
0003106369.tif 000015
【図１４】
0003106369.tif 000016
【図１５】
0003106369.tif 000017
【図１６】
0003106369.tif 000018
【図１７】
0003106369.tif 000019